(57)【特許請求の範囲】
【請求項１】
乾燥器本体内に配置された食器かごと、食器かごの下方に配置され水滴を受ける金属製の集水板と、温風を生成する温風発生装置と、温風発生装置からの温風を庫内へ吹き出す温風吹出し口を有する誘導ダクトとを備え、前記集水板は、底部と、底部から立上がる周壁部と、周壁部から外側へ向かって水平に屈曲され開口周縁を構成する周縁取付枠体を上から覆う周縁フランジ部と、周縁フランジ部から前記周縁取付枠体の外側を下方へ向かって屈曲され乾燥器本体の開口周縁挿入溝内に挿入支持された垂直支持部と、垂直支持部に複数設けられ開口周縁挿入溝の溝底に開口する係合孔と係合し合う係合爪部とを備えていることを特徴とする食器乾燥器。
【請求項２】
係合爪部は、係合孔の貫通後、内側へ向けて屈曲されていることを特徴とする請求項１記載の食器乾燥器。
【発明の詳細な説明】
【０００１】
【発明の属する技術分野】
この発明は、食器乾燥器に関する。
【０００２】
【従来の技術】
一般に食器乾燥器の概要は、乾燥器本体内に配置された食器かごと食器かごの下方に配置され、水滴を受ける集水板とを有し、食器かごに入れられた食器等は、庫内へ吹き出される温風によって乾燥が行なわれる構造となっている。
【０００３】
【発明が解決しようとする課題】
乾燥器本体は、一般に合成樹脂の材質によって作られる所から、食器かごを出し入れする開口周縁及び内壁面は傷がつき易く見栄えが悪くなる。
【０００４】
また、衛生管理面からも内壁から開口周縁にかけて金属カバーで覆うことが望ましいが、部品点数が増えるようになること、組付性の面においても望ましくない等の不具合いを招く。
【０００５】
そこで、この発明は、新たに金属カバー等を用いなくても衛生管理面、見栄えの面で優れると共に組付性の面でも大変好ましい食器乾燥器を提供することを目的としている。
【０００６】
【課題を解決するための手段】
前記目的を達成するために、この発明の請求項１にあっては、乾燥器本体内に配置された食器かごと、食器かごの下方に配置され水滴を受ける金属製の集水板と、温風を生成する温風発生装置と、温風発生装置からの温風を庫内へ吹き出す温風吹出し口を有する誘導ダクトとを備え、前記集水板は、底部と、底部から立上がる周壁部と、周壁部から外側へ向かって水平に屈曲され開口周縁を構成する周縁取付枠体を上から覆う周縁フランジ部と、周縁フランジ部から前記周縁取付枠体の外側を下方へ向かって屈曲され乾燥器本体の開口周縁挿入溝内に挿入支持された垂直支持部と、垂直支持部に複数設けられ開口周縁挿入溝の溝底に開口する係合孔と係合し合う係合爪部とを備えている。
【０００７】
これにより、集水板の垂直支持部を、乾燥器本体の開口周縁挿入溝に位置合せを行ない、係合爪部が開口周縁挿入溝の溝底に設けられた係合孔と係合し合うよう上から挿入することで組付け作業が完了する。
【０００８】
挿入完了時、垂直支持部は開口周縁挿入溝によって確実に支持される。一方、開口周縁を構成する周縁取付枠体は金属製の周壁部と周縁フランジ部と垂直支持部とによってそれぞれカバーされるため、衛生管理面で優れるようになる。また、ビス等の固定手段を用いないため、見栄えの面でも大変好ましいものになると共に、組付けも迅速に完了する。
【０００９】
また、この発明の請求項２によれば、係合爪部を係合孔の貫通後、内側へ屈曲させる。
【００１０】
これにより、周縁フランジ部は係合爪部の屈曲時に下向きに働らく作用によって開口周縁と確実に密着し合うようになると共に、抜け方向の動きが確実に規制された拘束状態が得られる。
【００１１】
【発明の実施の形態】
以下、図１乃至図８の図面を参照しながらこの発明の実施の形態について具体的に説明する。
【００１２】
図１は食器乾燥器１を示しており、食器乾燥器１の乾燥器本体３は合成樹脂の材質で作られている。乾燥器本体３の底面には前後左右の４箇所に支脚５が設けられ、その支脚５により所定の場所に設置可能となっている。
【００１３】
乾燥器本体３の上方は円弧状の蓋７となっていて、内部が見える合成樹脂の材質で作られている。蓋７は固定蓋９と第１、第２可動蓋１１、１３とで構成されており、後方（図面右側）に位置するのが固定蓋７、中央と前方に位置するのが第１、２可動蓋１１、１３で、前方の第１可動蓋１１には開閉用の取手１５が設けられている。
【００１４】
固定蓋７は、乾燥器本体３の両側部に設けられたヒンジ部材１７のヒンジピン１９によって両端支持されると共に、底部は乾燥器本体３の開口周縁２１に固定支持されている。
【００１５】
第１、第２可動蓋１１、１３は、前記ヒンジ部材１７のヒンジピン１９によって回動自在に両端支持されている。中央の第２可動蓋１３は全閉時において、前方のフランジ１３ａが第１可動蓋１１のフランジストッパ１１ａと、後方のフランジ１３ｂが固定蓋９のフランジストッパ９ａとそれぞれ係止することで固定支持され、第１可動蓋１１とは前方のフランジ１１ａとフランジストッパ１３ａとで一体の連動関係が確保されている。
【００１６】
したがって、取手１５を持って第１可動蓋１１を矢印の如く上方へ回動し、第２可動蓋１３と共に後部ストッパ２３に当るまで回動させることで、図８仮想線で示すように固定蓋９の外側に納まる大きな開口状態が確保されるようになっている。
【００１７】
中央の第２可動蓋１３は図２に示すように排気口２５を有し、排気口２５は、後述する温風吹出し口２７のほぼ上方に位置するレイアウト構造となっていて、形状は縦長のスリット状に形成され、左右方向に所定の領域にわたって設けられている。
【００１８】
一方、乾燥器本体３内には、集水板２９が配置され、集水板２９の上方には食器かご３１が、下方には温風発生装置３３と温風発生装置３３からの温風を庫内へ誘導する誘導ダクト３５がそれぞれ設けられている。
【００１９】
集水板２９は、ステンレスの材質で作られたステンレスシンクとなっていて、底部３７と底部３７から立上がる周壁部３９と周壁部３９から水平に屈曲された周縁フランジ部４１と周縁フランジ部４１から下方へ短く屈曲された垂直支持部４３とから成っている。垂直支持部４３は、図２に示すように前記開口周縁２１を構成する周縁取付枠体４５の開口周縁挿入溝４７内に挿入支持されている。
【００２０】
開口周縁挿入溝４７の溝底には所定の間隔で係合孔４９が設けられ、その係合孔４９に前記垂直支持部４７から下方へ舌片状に延長された係合爪部５１が上から下へ抜けるように貫通している。貫通した係合爪部５１は内側へ向け強制的に屈曲させることで、上方への抜け方向の動きが規制された拘束状態が確保されるようになっている。
【００２１】
周縁取付枠体４５は、係合爪部５１を内側へ屈曲させた集水板２９との仮組付け状態において、乾燥器本体３の裏の作業孔から開口周縁２１にビス５３によって一体に固定支持されている。
【００２２】
集水板２９の底部２９の一部領域には図６に示すように上方へ張り出す張り出し部５５と排水孔５７とがそれぞれ設けられている。
【００２３】
排水孔５７は下部に設けられた引出式の水受皿５９と連通し、食器等からの水滴は排水孔５７を介して水受皿５９に溜るようになっている。
【００２４】
張り出し部５５は、底部に沿って流れる温風を上方の食器かご３１へ向けて案内する傾斜案内面６１を備え、内側は温風発生装置３３の配置スペースとなっている。したがって、上方に配置スペースが拡大し、温風発生装置３３を配置するための設計自由度の面で大変好ましいものとなる。
【００２５】
食器かご３１は図１、２に示すようにステンレスの材質により縦・横に枠組されることで形成され、第１の食器かご６３と第２の食器かご６５とで２段かごの構造となっている。
【００２６】
第１の食器かご６３は、下方に配置されるメインの食器かごとなっている。
【００２７】
奥側はパイプ状の仕切り部材６７によって仕切られた左右に長いまな板置き部６９となっている。
【００２８】
第１の食器かご６３は、係止段部７１が設けられ、係止段部７１を集水板２９の周縁フランジ部４１に載せることで、着脱自在にセット可能となっている。
【００２９】
この第１の食器かご６３のセット時において、集水板２９の底部３７と第１の食器かご６３の底面との間には所定寸法の風路７３が確保されるようになっている。
【００３０】
第２の食器かご６５は、第１の食器かご６３の上方に配置されるサブの食器かごとなっていて、前後に長い形状となっている。第２の食器かご６５の前後には支脚部７５，７６がそれぞれ設けられ、前方の支脚部７５は、第１の食器かご６３の開口縁６３ａに、後方の支脚部７６は第１の食器かご６３のまな板置き部６９を形成する仕切り部材６７にそれぞれ載せることで、着脱自在にセットできるようになっている。
【００３１】
また、必要に応じて左右方向へのスライド移動が可能となっている。
【００３２】
温風発生装置３３は、駆動モータ７７と駆動モータ７７によって回転動力が与えられるフアン７９から成る送風機８１と、温風を生成するヒータ８３とから成り、前面の操作パネル８５に設けられた操作スイッチ８６により運転・制御されるようになっている。
【００３３】
送風機８１は、ほぼ中央部位で前記集水板２９に設けられた張り出し部５５の内側に配置されている。ヒータ８３は、後方へ向けて吹き出す送風機８１の送風口８１ａと接続連通し合う誘導ダクト８５内に配置されている。
【００３４】
誘導ダクト８５は、ヒータ８３からの温風を左右へ分岐して流すＴ字状の形状となっていて、左右には前記した温風吹出し口２７が設けられている。
【００３５】
温風吹出し口２７は、第１の食器かご６３の底面と集水板２９との間で、後方から前方へ向かって温風を吹き出すようになっている。
【００３６】
温風吹出し口２７には、庫内の全領域にわたって温風を吹き出すためのルーバー８７を備えている。
【００３７】
このように構成された食器乾燥器１によれば、集水板２９の垂直支持部４３は開口周縁挿入溝４７内に挿入支持され、係合爪部５１は開口周縁挿入溝４７の溝底に設けられた係合孔４９と係合し合うことで、集水板２９の確実な取付け状態が得られる。しかも、取付け作業も迅速に完了する。
【００３８】
また、乾燥器本体３の内壁面から開口周縁２１を構成する周縁取付枠体４５の領域は、底部３７から立上がるステンレス製の周壁部３９と周縁フランジ部４１と垂直支持部４３とによって全体がカバーされるため傷がつきにくく衛生管理面で優れるようになる。しかも、ビス等を用いないためきれいな外観仕上げとなる。
【００３９】
一方、洗い終った食器等を食器かご３１に入れると、その水滴は集水板２９の底部３７によって受け止められ、排水孔５７から水受皿５９に溜るようになる。
【００４０】
この場合、水滴が周縁フランジ部４１から垂直支持部４３を伝って開口周縁挿入溝４７内に浸入してもその量はわずかであり、しかも、溝底によって阻止されるため、水浸入による悪影響は起きない。
【００４１】
また、食器かご３１に入れられた食器等は、温風吹出し口２７から庫内へ向かって吹き出される温風によって乾燥が行なわれる。
【００４２】
【発明の効果】
以上、説明したようにこの発明の食器乾燥器によれば、乾燥器本体の内壁面から開口周縁を構成する周縁取付枠体の領域にわたって、金属製の集水板によりカバーすることができるため、傷がつきにくく衛生管理面で優れる。また、集水板の組付けにあたってビス等を用いないため見栄えの向上が図れると共に、取付けが容易となり組付性の面でも大変好ましいものとなる。
【図面の簡単な説明】
【図１】この発明にかかる食器乾燥器の概要切断側面図。
【図２】食器乾燥器の概要切断正面図。
【図３】図２のＡ部の拡大図。
【図４】集水板の係合爪部及び開口周縁挿入溝の係合孔との関係を示した説明図。
【図５】食器乾燥器の集水板を取外して上方から見た概要説明図。
【図６】食器乾燥器の集水板を上から見た概要平面図。
【図７】食器乾燥器全体の概要正面図。
【図８】食器乾燥器全体の概要側面図。
【符号の説明】
３…乾燥器本体
２７…温風吹出し口
２９…集水板
３１…食器かご
３３…温風発生装置
３７…底部
３９…周壁部
４１…周縁フランジ部
４３…垂直支持部
４７…開口周縁挿入溝
４９…係合孔
５１…係合爪部
８５…誘導ダクト
【図１】
0003783025.tif 000002
【図２】
0003783025.tif 000003
【図３】
0003783025.tif 000004
【図４】
0003783025.tif 000005
【図５】
0003783025.tif 000006
【図６】
0003783025.tif 000007
【図７】
0003783025.tif 000008
【図８】
0003783025.tif 000009